(57)【要約】  本発明はリソース構成方法、装置及び記憶媒体を提供し、該方法は、第１基地局は第２基地局の装置ツー装置通信リソース、及び第１基地局自体の装置ツー装置通信リソースのうちの少なくとも１つの装置ツー装置通信リソースを取得するステップと、第１基地局は取得した装置ツー装置通信リソースをユーザー装置に送信するステップと、を含む。本発明によれば、関連技術ではＶ２Ｘメッセージ伝送を行うＵＥにおいてハンドオーバーや異常が発生する場合にＶ２Ｘサービスの持続性を如何に確保するかという問題を解決し、それにより低遅延高信頼性のＶ２Ｘ情報伝送を実現する。【選択図】図２
2019510436.tif 000002
【特許請求の範囲】
【請求項１】
リソース構成方法であって、
第１基地局は、第２基地局の装置ツー装置通信リソース、前記第１基地局自体の装置ツー装置通信リソースのうちの少なくとも１つの装置ツー装置通信リソースを取得するステップと、
前記第１基地局は、取得した装置ツー装置通信リソースをユーザー装置に送信するステップとを含む、方法。
【請求項２】
前記装置ツー装置通信リソースはＶ２Ｘ通信リソースを含む、請求項１に記載の方法。
【請求項３】
前記装置ツー装置通信リソースは、
装置ツー装置通信送信リソース、装置ツー装置通信送信リソースプール、装置ツー装置通信受信リソースプール、装置ツー装置通信異常送信リソースプール、装置ツー装置通信異常受信リソースプールのうちの少なくとも１つを含む、請求項１に記載の方法。
【請求項４】
前記装置ツー装置通信送信リソースは基地局のスケジューリングしたリソースであり、前記装置ツー装置通信送信リソースプールは自ら選択したリソースである、請求項３に記載の方法。
【請求項５】
前記第１基地局が第２基地局の装置ツー装置通信リソースを取得することは、
前記第１基地局がＸ２インタフェースハンドオーバー要求確認メッセージによって前記第２基地局の装置ツー装置通信リソースを取得するステップ、又は、
前記第１基地局がＸ２インタフェース確立要求又はＸ２インタフェース確立応答メッセージによって前記第２基地局の装置ツー装置通信リソースを取得するステップ、又は、
前記第１基地局がＸ２インタフェースの基地局構成更新メッセージによって前記第２基地局の装置ツー装置通信リソースを取得するステップ、又は、
前記第１基地局がＳ１インタフェースのモビリティ管理エンティティ構成更新メッセージ又はＳ１確立要求メッセージ又はＳ１ハンドオーバーコマンドメッセージによって前記第２基地局の装置ツー装置通信リソースを取得するステップを含む、請求項１に記載の方法。
【請求項６】
前記第１基地局が取得した装置ツー装置通信リソースを前記ユーザー装置に送信することは、
前記第１基地局は無線リソース制御ＲＲＣ接続再設定メッセージによって、取得した装置ツー装置通信リソースを前記ユーザー装置に送信するステップ、又は、
前記第１基地局はシステムブロードキャストメッセージによって、取得した装置ツー装置通信リソースを前記ユーザー装置に送信するステップを含む、請求項１に記載の方法。
【請求項７】
前記第１基地局がＲＲＣ接続再設定メッセージによって、取得した装置ツー装置通信リソースをＵＥに送信することは、
前記第１基地局がＸ２インタフェースハンドオーバー要求確認メッセージから取得した装置ツー装置通信リソースをハンドオーバーコマンドに含ませて、前記ＲＲＣ接続再設定メッセージによって前記ユーザー装置に送信するステップを含む、請求項５又は６に記載の方法。
【請求項８】
前記システムブロードキャストメッセージは、システムメッセージＳＩＢ１８、新たに定義されたシステムメッセージのうちの少なくとも１つを含む、請求項６に記載の方法。
【請求項９】
前記第１基地局が取得した装置ツー装置通信リソースを前記ユーザー装置に送信する前に、
前記第１基地局が前記ユーザー装置の送信した装置ツー装置Ｖ２Ｘ伝送傾向の指示情報又は装置ツー装置パスハンドオーバーの指示情報を受信するステップをさらに含む、請求項１に記載の方法。
【請求項１０】
前記ユーザー装置は、車両ユーザー装置、通行人ユーザー装置、ユーザー装置型路側機、装置ツー装置通信能力を有するユーザー装置のうちの少なくとも１つを含む、請求項１〜９のいずれか一項に記載の方法。
【請求項１１】
前記第１基地局と前記第２基地局は、従来の基地局、基地局型路側機のうちの少なくとも１つを含む、請求項１〜９のいずれか一項に記載の方法。
【請求項１２】
リソース構成方法であって、
ユーザー装置は、第１基地局の送信した、前記第１基地局自体の装置ツー装置通信リソース、第２基地局の装置ツー装置通信リソースのうちの少なくとも１つを含む装置ツー装置通信リソースを受信するステップと、
前記ユーザー装置は、受信した装置ツー装置通信リソースに基づき、装置ツー装置通信情報の送信、装置ツー装置通信情報の受信のうちの少なくとも１つを実行するステップとを含む、方法。
【請求項１３】
前記装置ツー装置通信リソースはＶ２Ｘ通信リソースを含む、請求項１２に記載の方法。
【請求項１４】
前記装置ツー装置通信リソースは、
装置ツー装置送信リソース、装置ツー装置通信送信リソースプール、装置ツー装置通信受信リソースプール、装置ツー装置通信異常送信リソースプール、装置ツー装置通信異常受信リソースプールのうちの少なくとも１つを含む、請求項１２に記載の方法。
【請求項１５】
前記装置ツー装置通信送信リソースは基地局のスケジューリングしたリソースであり、装置ツー装置通信送信リソースプールは自ら選択したリソースである、請求項１３に記載の方法。
【請求項１６】
前記ユーザー装置が受信した装置ツー装置通信リソースに基づき、装置ツー装置通信情報の送信、装置ツー装置通信情報の受信のうちの少なくとも１つを実行することは、
前記ユーザー装置は、前記ユーザー装置が無線リンクに失敗し、Ｔ３１０が動作する場合、Ｔ３０４が動作する場合、前記ユーザー装置がハンドオーバーに失敗し又はＴ３０４がタイムアウトする場合、前記ユーザー装置がセル再選択を行い又はＴ３１１が動作する場合、前記ユーザー装置がＲＲＣ接続再確立を行い又はＴ３０１が動作する場合、Ｔ３００が動作する場合、前記ユーザー装置がＲＲＣ接続確立を行い又はＴ３００のタイムアウトによって接続確立が失敗する場合のうちのいずれかの条件下で、装置ツー装置通信異常送信リソースプール又は装置ツー装置通信異常受信リソースプールを使用するステップを含む、請求項１２に記載の方法。
【請求項１７】
前記ユーザー装置が第１基地局の送信した装置ツー装置通信リソースを受信する前に、
前記ユーザー装置が前記第１基地局に、装置ツー装置パス切り替えの指示情報又は装置ツー装置Ｖ２Ｘ伝送傾向の指示情報を送信するステップをさらに含む、請求項１２に記載の方法。
【請求項１８】
前記ユーザー装置はサイドリンクユーザー情報によって前記第１基地局に装置ツー装置パス切り替えの指示情報又は装置ツー装置Ｖ２Ｘ伝送傾向の指示情報を送信する、請求項１７に記載の方法。
【請求項１９】
前記ユーザー装置は、車両ユーザー装置、通行人ユーザー装置、ユーザー装置型路側機、装置ツー装置通信能力を有するユーザー装置のうちの少なくとも１つを含む、請求項１２〜１８のいずれか一項に記載の方法。
【請求項２０】
前記第１基地局と前記第２基地局は、従来の基地局、基地局型路側機のうちの少なくとも１つを含む、請求項１２〜１８のいずれか一項に記載の方法。
【請求項２１】
第１基地局側に適用されるリソース構成装置であって、
第２基地局の装置ツー装置通信リソース、及び第１基地局自体の装置ツー装置通信リソースのうちの少なくとも１つの装置ツー装置通信リソースを取得するように構成される取得モジュールと、
取得した装置ツー装置通信リソースをユーザー装置に送信するように構成される送信モジュールとを備える、装置。
【請求項２２】
前記取得モジュールは、
Ｘ２インタフェースハンドオーバー要求確認メッセージ又はＸ２インタフェース確立要求メッセージ又はＸ２インタフェース確立応答メッセージ又は基地局構成更新メッセージによって、前記第２基地局の装置ツー装置通信リソースを取得するように構成される第１取得ユニット、又は、
Ｓ１インタフェースのモビリティ管理エンティティ構成更新メッセージ又はＳ１確立要求メッセージ又はＳ１ハンドオーバーコマンドメッセージによって前記第２基地局の装置ツー装置通信リソースを取得するように構成される第２取得ユニットを備える請求項２１に記載の装置。
【請求項２３】
ユーザー装置側に適用されるリソース構成装置であって、
第１基地局の送信した、前記第１基地局自体の装置ツー装置通信リソース、第２基地局の装置ツー装置通信リソースのうちの少なくとも１つを含む装置ツー装置通信リソースを受信するように構成される受信モジュールと、
受信した装置ツー装置通信リソースに基づき、装置ツー装置通信情報の送信、装置ツー装置通信情報の受信のうちの少なくとも１つを実行するように構成される構成モジュールとを備える、装置。
【請求項２４】
前記構成モジュールが受信した装置ツー装置通信リソースに基づき、装置ツー装置通信情報の送信、装置ツー装置通信情報の受信のうちの少なくとも１つを実行することは、
ユーザー装置が無線リンクに失敗し、Ｔ３１０が動作する場合、Ｔ３０４が動作する場合、前記ユーザー装置がハンドオーバーに失敗し又はＴ３０４がタイムアウトする場合、前記ユーザー装置がセル再選択を行い又はＴ３１１が動作する場合、前記ユーザー装置がＲＲＣ接続再確立を行い又はＴ３０１が動作する場合、Ｔ３００が動作する場合、前記ユーザー装置がＲＲＣ接続確立を行い又はＴ３００のタイムアウトによって接続確立が失敗する場合のうちのいずれかの条件下で、装置ツー装置通信異常送信リソースプール又は装置ツー装置通信異常受信リソースプールを使用することを含む、請求項２３に記載の装置。
【請求項２５】
記憶媒体であって、
記憶されたプログラムを含み、前記プログラムが実行される時に、請求項１〜１１いずれか一項に記載の方法を実行し、又は前記プログラムが実行される時に、請求項１２〜２０のいずれか一項に記載の方法を実行することを特徴とする、記憶媒体。
【発明の詳細な説明】
【技術分野】
【０００１】
本発明は通信分野に関し、具体的には、リソース構成方法、装置及び記憶媒体に関する。
【背景技術】
【０００２】
車とモノの通信（Ｖｅｈｉｃｌｅ−ｔｏ−Ｅｖｅｒｙｔｈｉｎｇ  Ｃｏｍｍｕｎｉｃａｔｉｏｎｓ：Ｖ２Ｘと略称）とは、車両に搭載されたセンサ、車載端末及び電子タグによって車両情報を提供し、各種の通信技術を用いて車車間通信（Ｖｅｈｉｃｌｅ−ｔｏ−Ｖｅｈｉｃｌｅ  Ｃｏｍｍｕｎｉｃａｔｉｏｎ：Ｖ２Ｖと略称）、歩車間通信（Ｖｅｈｉｃｌｅ−ｔｏ−Ｐｅｄｅｓｔｒｉａｎ  Ｃｏｍｍｕｎｉｃａｔｉｏｎｓ：Ｖ２Ｐと略称）、路車間通信（Ｖｅｈｉｃｌｅ−ｔｏ−Ｉｎｆｒａｓｔｒｕｃｔｕｒｅ  Ｃｏｍｍｕｎｉｃａｔｉｏｎｓ：Ｖ２Ｉと略称）、車ネットワーク間通信（Ｖｅｈｉｃｌｅ−ｔｏ−Ｎｅｔｗｏｒｋ  Ｃｏｍｍｕｎｉｃａｔｉｏｎｓ：Ｖ２Ｎと略称）を実現し、且つ情報ネットワークプラットフォームで情報を抽出したり、共有したりなどして効果的に利用し、車両を効果的に管理し、統合サービスを提供する。
【０００３】
現在、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰと略称）は（Ｌｏｎｇ  Ｔｅｒｍ  Ｅｖｏｌｕｔｉｏｎ：ＬＴＥと略称）に基づくＶ２Ｘを考案している。通信に関与する相手に基づき、Ｖ２ＸサービスはＶ２Ｖサービス、Ｖ２Ｉサービス、Ｖ２Ｎサービス及びＶ２Ｐサービスに分けられる。Ｖ２Ｐサービスとは、ＵＥ同士がＶ２Ｐアプリケーションを用いて通信するサービスである。Ｖ２Ｎサービスとは、ＵＥとサービスエンティティがＶ２Ｎアプリケーションを用いてＬＴＥネットワークエンティティによって相互通信するサービスである。Ｖ２Ｉサービスとは、ユーザー装置（Ｕｓｅｒ  Ｅｑｕｉｐｍｅｎｔ：ＵＥと略称）と路側機（Ｒｏａｄ  Ｓｉｄｅ  Ｕｎｉｔ：ＲＳＵと略称）がＶ２Ｉアプリケーションを用いて対話するサービスである。ＲＳＵはＶ２Ｉサービスをサポートするエンティティであり、Ｖ２Ｉアプリケーションを用いたＵＥにＶ２Ｉサービスを送信することが可能であり、Ｖ２Ｉサービスを用いたＵＥからＶ２Ｉサービスを受信することも可能である。ＲＳＵは進化型基地局（Ｅｖｏｌｖｅｄ  Ｎｏｄｅ  Ｂ：ｅＮＢと略称）又は静止したＵＥによって実現される。ＲＳＵは基地局によって実現される場合、ｅＮＢ  ｔｙｐｅ  ＲＳＵと呼称される。ＲＳＵはＵＥによって実現される場合、ＵＥ  ｔｙｐｅ  ＲＳＵと呼称される。Ｖ２Ｖサービスとは、ＵＥ同士がＶ２Ｖアプリケーションを用いて通信するサービスである。Ｖ２Ｖは、ＵＥ同士がＶ２Ｖ関連アプリケーション情報を直接交換すること、又はＶ２Ｖ直接通信範囲の制限によって、ＵＥ同士がＶ２Ｘサービスをサポートするインフラ（たとえばＲＳＵ、アプリケーションサーバ等）を介してＶ２Ｖ関連アプリケーション情報交換を行うことを含む。
【０００４】
Ｖ２Ｖ／Ｖ２Ｐ／Ｖ２ＩのＶ２Ｘ通信モードでは、Ｖ２Ｘ情報の伝送は主としてブロードキャストとマルチキャスト方式によって行われる。従来のシステム基地局はＭＢＳＦＮ及びＳＣ−ＰＴＭに基づくブロードキャストメカニズムをサポートし、また、ＵＥツーＵＥの直接ディスカバリ／通信（Ｄ２Ｄ、ｓｉｄｅｌｉｎｋ、ＰｒｏＳｅ）メカニズムもＰＣ５インタフェースを介したＶ２Ｘメッセージのブロードキャスト伝送をサポートする。Ｖ２Ｘ通信の低遅延特性によって、Ｖ２Ｘメッセージ伝送を行うＵＥにおいて、ハンドオーバーや異常が発生する場合、サービス持続性の確保又はサービス中断時間の短縮は非常に重要であり、しかしながら、現在、該問題に対する有効な解決策は未だに見つかっていない。
【発明の概要】
【発明が解決しようとする課題】
【０００５】
本発明の実施例は、少なくとも、関連技術ではＶ２Ｘメッセージ伝送を行うＵＥにおいてハンドオーバーや異常が発生する場合にＶ２Ｘサービス持続性を如何に確保するかという問題を解決するリソース構成方法、装置及び記憶媒体を提供する。
【課題を解決するための手段】
【０００６】
本発明の実施例の一態様によれば、リソース構成方法を提供し、第１基地局は、第２基地局の装置ツー装置通信リソース、及び第１基地局自体の装置ツー装置通信リソースのうちの少なくとも１つの装置ツー装置通信リソースを取得するステップと、前記第１基地局は、取得した装置ツー装置通信リソースをユーザー装置に送信するステップと、を含む。
【０００７】
好ましくは、前記装置ツー装置通信はＶ２Ｘ通信リソースを含む。
【０００８】
好ましくは、前記装置ツー装置通信リソースは、装置ツー装置通信送信リソース、装置ツー装置通信送信リソースプール、装置ツー装置通信受信リソースプール、装置ツー装置通信異常送信リソースプール、装置ツー装置通信異常受信リソースプールのうちの少なくとも１つを含む。
【０００９】
好ましくは、前記装置ツー装置通信送信リソースは基地局のスケジューリングしたリソースであり、前記装置ツー装置通信送信リソースプールは自ら選択したリソースである。
【００１０】
好ましくは、前記第１基地局が第２基地局の装置ツー装置通信リソースを取得することは、前記第１基地局がＸ２インタフェースハンドオーバー要求確認メッセージによって前記第２基地局の装置ツー装置通信リソースを取得するステップ、又は、前記第１基地局がＸ２インタフェース確立要求又はＸ２インタフェース確立応答メッセージによって前記第２基地局の装置ツー装置通信リソースを取得するステップ、又は、前記第１基地局がＸ２インタフェースの基地局構成更新メッセージによって前記第２基地局の装置ツー装置通信リソースを取得するステップ、又は、前記第１基地局がＳ１インタフェースのモビリティ管理エンティティ（Ｍｏｂｉｌｉｔｙ  Ｍａｎａｇｅｍｅｎｔ  Ｅｎｔｉｔｙ：ＭＭＥと略称）構成更新メッセージ又はＳ１確立要求メッセージ又はＳ１ハンドオーバーコマンドメッセージによって前記第２基地局の装置ツー装置通信リソースを取得するステップを含む。
【００１１】
好ましくは、前記第１基地局が取得した装置ツー装置通信リソースをユーザー装置に送信することは、前記第１基地局が無線リソース制御（Ｒａｄｉｏ  Ｒｅｓｏｕｒｃｅ  Ｃｏｎｔｒｏｌ：ＲＲＣと略称）接続再設定メッセージによって、取得した装置ツー装置通信リソースをユーザー装置に送信するステップ、又は、前記第１基地局がシステムブロードキャストメッセージによって、取得した装置ツー装置通信リソースをユーザー装置に送信するステップを含む。
【００１２】
好ましくは、前記第１基地局がＲＲＣ接続再設定メッセージによって、取得した装置ツー装置通信リソースをＵＥに送信することは、前記第１基地局がＸ２インタフェースハンドオーバー要求確認メッセージから取得した装置ツー装置通信リソースをハンドオーバーコマンドに含ませて、前記ＲＲＣ接続再設定メッセージによって前記ユーザー装置に送信するステップを含む。
【００１３】
好ましくは、前記システムブロードキャストメッセージは、ＳＩＢ１８、新たに定義されたＳＩＢのうちの少なくとも１つを含む。
【００１４】
好ましくは、前記第１基地局が取得した装置ツー装置通信リソースをユーザー装置に送信する前に、前記方法は、前記第１基地局が前記ユーザー装置の送信した装置ツー装置Ｖ２Ｘ伝送傾向の指示情報又は装置ツー装置パス切り替えの指示情報を受信するステップをさらに含む。
【００１５】
好ましくは、前記ユーザー装置は、車両ユーザー装置ＵＥ、通行人ユーザー装置ＵＥ、ユーザー装置ＵＥ型路側機、装置ツー装置通信能力を有するユーザー装置のうちの少なくとも１つを含む。
【００１６】
好ましくは、前記第１基地局と前記第２基地局は、従来の基地局、基地局型路側機のうちの少なくとも１つを含む。
【００１７】
本発明の実施例の別の態様によれば、リソース構成方法を提供し、ユーザー装置は、第１基地局の送信した、前記第１基地局自体の装置ツー装置通信リソース、第２基地局の装置ツー装置通信リソースのうちの少なくとも１つを含む装置ツー装置通信リソースを受信するステップと、前記ユーザー装置は、受信した装置ツー装置通信リソースに基づき、装置ツー装置通信情報の送信、装置ツー装置通信情報の受信のうちの少なくとも１つを実行するステップと、を含む。
【００１８】
好ましくは、前記装置ツー装置通信はＶ２Ｘ通信リソースを含む。
【００１９】
好ましくは、前記装置ツー装置通信リソースは、装置ツー装置通信送信リソース、装置ツー装置通信送信リソースプール、装置ツー装置通信受信リソースプール、装置ツー装置通信異常送信リソースプール、装置ツー装置通信異常受信リソースプールのうちの少なくとも１つを含む。
【００２０】
好ましくは、前記装置ツー装置通信送信リソースは基地局のスケジューリングしたリソースであり、前記装置ツー装置通信送信リソースプールは自ら選択したリソースである。
【００２１】
好ましくは、前記ユーザー装置が受信した装置ツー装置通信リソースに基づき、装置ツー装置通信情報の送信、装置ツー装置通信情報の受信のうちの少なくとも１つを実行することは、前記ユーザー装置は、前記ユーザー装置が無線リンクに失敗し、Ｔ３１０が動作する場合、Ｔ３０４が動作する場合、前記ユーザー装置がハンドオーバーに失敗し又はＴ３０４がタイムアウトする場合、前記ユーザー装置がセル再選択を行い又はＴ３１１が動作する場合、前記ユーザー装置がＲＲＣ接続再確立を行い又はＴ３０１が動作する場合、Ｔ３００が動作する場合、前記ユーザー装置がＲＲＣ接続確立を行い又はＴ３００のタイムアウトによって接続確立が失敗する場合のうちのいずれかの条件下で、前記装置ツー装置通信リソース異常送信又は受信リソースプールを使用するステップを含む。
【００２２】
好ましくは、ユーザー装置が第１基地局の送信した前記装置ツー装置通信リソースを受信する前に、前記方法は、ユーザー装置が前記第１基地局に、装置ツー装置パス切り替えの指示情報又は装置ツー装置Ｖ２Ｘ伝送傾向の指示情報を送信するステップをさらに含む。
【００２３】
好ましくは、ユーザー装置はサイドリンクユーザー情報ｓｉｄｅｌｉｎｋＵＥＩｎｆｏｒｍａｔｉｏｎによって前記第１基地局に装置ツー装置パス切り替えの指示情報又は装置ツー装置Ｖ２Ｘ伝送傾向の指示情報を送信する。
【００２４】
好ましくは、前記ユーザー装置は、車両ＵＥ、通行人ＵＥ、ＵＥ型路側機、装置ツー装置通信能力を有するユーザー装置のうちの少なくとも１つを含む。
【００２５】
好ましくは、前記第１基地局と前記第２基地局は、従来の基地局、基地局型路側機のうちの少なくとも１つを含む。
【００２６】
本発明の実施例のさらに別の態様によれば、リソース構成装置を提供し、第１基地局側に適用され、第２基地局の装置ツー装置通信リソース、及び第１基地局自体の装置ツー装置通信リソースのうちの少なくとも１つの装置ツー装置通信リソースを取得する取得ように構成されるモジュールと、取得した装置ツー装置通信リソースをユーザー装置に送信するように構成される送信モジュールと、を備える。
【００２７】
好ましくは、前記取得モジュールは、Ｘ２インタフェースハンドオーバー要求確認メッセージ又はＸ２インタフェース確立要求メッセージ又はＸ２インタフェース確立応答メッセージ又は基地局構成更新メッセージによって、前記第２基地局の装置ツー装置通信リソースを取得するように構成される第１取得ユニット、又は、Ｓ１インタフェースのモビリティ管理エンティティ構成更新メッセージ又はＳ１確立要求メッセージ又はＳ１ハンドオーバーコマンドメッセージによって、前記第２基地局の装置ツー装置通信リソースを取得するように構成される第２取得ユニットを備える。
【００２８】
本発明の実施例のまたさらに別の態様によれば、リソース構成装置を提供し、ユーザー装置側に適用され、第１基地局の送信した、前記第１基地局自体の装置ツー装置通信リソース、第２基地局の装置ツー装置通信リソースのうちの少なくとも１つを含む装置ツー装置通信リソースを受信するように構成される受信モジュールと、受信した装置ツー装置通信リソースに基づき、装置ツー装置通信情報の送信、装置ツー装置通信情報の受信のうちの少なくとも１つを実行するように構成される構成モジュールと、を備える。
【００２９】
好ましくは、前記構成モジュールが、受信した装置ツー装置通信リソースに基づき、装置ツー装置通信情報の送信、装置ツー装置通信情報の受信のうちの少なくとも１つを実行することは、前記ユーザー装置が無線リンクに失敗し、Ｔ３１０が動作する場合、Ｔ３０４が動作する場合、前記ユーザー装置がハンドオーバーに失敗し又はＴ３０４がタイムアウトする場合、前記ユーザー装置がセル再選択を行い又はＴ３１１が動作する場合、前記ユーザー装置がＲＲＣ接続再確立を行い又はＴ３０１が動作する場合、Ｔ３００が動作する場合、前記ユーザー装置がＲＲＣ接続確立を行い又はＴ３００のタイムアウトによって接続確立が失敗する場合のうちのいずれかの条件下で、前記装置ツー装置通信リソース異常送信又は受信リソースプールを使用することを含む。
【００３０】
本発明のまたさらに別の態様によれば、記憶媒体を提供し、前記記憶媒体は記憶されたプログラムを含み、前記プログラムが実行される時に、に第１基地局適用されるリソース構成方法のいちのいずれか一項に記載の方法を実行する。
【００３１】
本発明のまたさらに別の態様によれば、記憶媒体を提供し、前記記憶媒体は記憶されたプログラムを含み、前記プログラムが実行される時に、ユーザー装置側に適用されるリソース構成方法のうちのいずれか一項に記載の方法を実行する。
【発明の効果】
【００３２】
本発明の実施例によれば、第１基地局が第２基地局の装置ツー装置通信リソースを取得し、及び／又は、それ自体の装置ツー装置通信リソースを取得し、更に該装置ツー装置通信リソースをユーザー装置に送信することで、ユーザー装置にハンドオーバーや異常が発生しても、装置ツー装置インタフェースによってＶ２Ｘサービスを伝送でき、それによりＶ２Ｘサービスの持続性を確保し、関連技術ではＶ２Ｘメッセージ伝送を行うＵＥにおいてハンドオーバーや異常が発生する場合にＶ２Ｘサービスの持続性を如何に確保するかという問題を解決し、それにより低遅延高信頼性のＶ２Ｘ情報伝送を実現する。
【図面の簡単な説明】
【００３３】
【図１】関連技術に係るＶ２Ｘサービスシナリオの模式図である。
【図２】本発明の実施例に係るリソース構成方法のフローチャート１である。
【図３】本発明の実施例に係るリソース構成方法のフローチャート２である。
【図４】本発明の実施例に係るリソース構成装置の構成ブロック図１である。
【図５】本発明の実施例に係るリソース構成装置の構成ブロック図２である。
【図６】本発明の選択可能な実施例に係るハンドオーバー中においてＶ２Ｘ通信リソース構成を伝送する方法のフローチャートである。
【図７】本発明の選択可能な実施例に係る基地局がＸ２インタフェースによって隣接基地局のＶ２Ｘ通信リソースを取得してシステムブロードキャストメッセージによってＵＥに送信する方法のフローチャートである。
【図８】本発明の選択可能な実施例に係る基地局がシステムブロードキャストメッセージでＶ２Ｘ通信異常送信／受信リソースプールを送信する方法のフローチャートである。
【図９】本発明の選択可能な実施例に係る専有シグナリングによって基地局にＶ２Ｘ通信異常送信／受信リソースプールを送信する方法のフローチャートである。
【発明を実施するための形態】
【００３４】
ここで説明される図面は本発明を更に理解するためのものであり、本願の一部として組み込まれており、本発明の例示的な実施例及びその説明は本発明を解釈するものに過ぎず、本発明を限定するものではない。
【００３５】
以下、図面及び実施例を参照して本発明を詳細に説明する。なお、矛盾しない限り、本願の実施例及び実施例の特徴を組み合わせることができる。
【００３６】
なお、本発明の明細書と特許請求の範囲及び上記図面に用いられる用語「第１」、「第２」等は類似する対象を区別することに用いられ、特定の順序を示すものではない。
【００３７】
３ＧＰＰはＶ２Ｖの３種のシナリオを検討しており、図１は関連技術に係るＶ２Ｘサービスシナリオの模式図であり、図１に示すように、以下の３つのシナリオを含み、シナリオ１においては、該シナリオはＰＣ５インタフェースのみに基づくＶ２Ｖ通信をサポートし、ＰＣ５インタフェースはサイドリンクｓｉｄｅｌｉｎｋとも呼ばれ、ＵＥとＵＥの間のインタフェースであり、例えば装置ツー装置直接通信、装置ツー装置直接ディスカバリ、Ｖ２Ｘサイドリンクｓｉｄｅｌｉｎｋ通信に用いられる。ＰＣ５通信リソースはｓｉｄｅｌｉｎｋ通信リソースとも呼ばれ、装置ツー装置通信リソースはＶ２Ｘサイドリンクｓｉｄｅｌｉｎｋ通信リソースを含むが、それに限定されない。ＵＥはＰＣ５インタフェースによってＶ２Ｘメッセージをローカルエリアの複数のＵＥに送信する。シナリオ２においては、該シナリオはＵｕインタフェース（Ｅ−ＵＴＲＡＮエアインタフェース）のみに基づくＶ２Ｖ通信をサポートする。ＵＥはＶ２Ｘメッセージを進化型ＵＭＴＳ地上無線アクセスネットワーク（Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ：Ｅ−ＵＴＲＡＮと略称）にアップリンク伝送し、Ｅ−ＵＴＲＡＮはさらに該Ｖ２Ｘメッセージをローカルエリアの複数のＵＥにダウンリンクブロードキャストする。シナリオ３ａ及び３ｂにおいては、該シナリオはＵｕとＰＣ５インタフェースを用いたＶ２Ｖ通信をサポートする。シナリオ３ａにおいて、ＵＥはＰＣ５インタフェースによってＶ２ＸメッセージをほかのＵＥに送信し、ＵＥ  ｔｙｐｅ  ＲＳＵはＰＣ５インタフェースからＶ２Ｘメッセージを受信した後に該Ｖ２ＸメッセージをＥ−ＵＴＲＡＮにアップリンク伝送し、Ｅ−ＵＴＲＡＮはＵＥ  ｔｙｐｅ  ＲＳＵから受信したＶ２Ｘメッセージをローカルエリアの複数のＵＥにダウンリンクブロードキャストする。シナリオ３ｂにおいて、ＵＥはＶ２ＸメッセージをＥ−ＵＴＲＡＮにアップリンク伝送し、Ｅ−ＵＴＲＡＮはＵｕインタフェースからＶ２Ｘメッセージを受信すると、該Ｖ２Ｘメッセージを１つ又は複数のＵＥ  ｔｙｐｅ  ＲＳＵに伝送し、ＵＥ  ｔｙｐｅ  ＲＳＵはＥ−ＵＴＲＡＮから受信したＶ２ＸメッセージをＰＣ５インタフェースによってローカルエリアの複数のＵＥに送信する。Ｅ−ＵＴＲＡＮは従来のブロードキャストマルチキャストサービス（Ｍｕｌｔｉｍｅｄｉａ  Ｂｒｏａｄｃａｓｔ  Ｍｕｌｔｉｃａｓｔ  Ｓｅｒｖｉｃｅ：ＭＢＭＳと略称）技術又はシングルセルポイントツーマルチポイント（Ｓｉｎｇｌｅ−ｃｅｌｌ  ｐｏｉｎｔ−ｔｏ  ｍｕｌｔｉｐｌｅ  ｐｏｉｎｔ：ＳＣ−ＰＴＭと略称）技術によってＶ２Ｘメッセージをローカルエリアの複数のＵＥにダウンリンクブロードキャストすることができる。
【００３８】
本実施例では、リソース構成方法を提供し、図２は本発明の実施例に係るリソース構成方法のフローチャート１であり、図２に示すように、該プロセスは、Ｓ２０２、Ｓ２０４を含む。
【００３９】
Ｓ２０２において、第１基地局は、第２基地局の装置ツー装置通信リソース、及び第１基地局自体の装置ツー装置通信リソースのうちの少なくとも１つの装置ツー装置通信リソースを取得する。
【００４０】
Ｓ２０４において、第１基地局は、取得した装置ツー装置通信リソースをユーザー装置に送信する。
【００４１】
本実施例のステップＳ２０２及びステップＳ２０４によって、第１基地局が第２基地局の装置ツー装置通信リソースを取得し、及び／又は、それ自体の装置ツー装置通信リソースを取得し、更に該装置ツー装置通信リソースをユーザー装置に送信することで、ユーザー装置にハンドオーバーや異常が発生しても、ＰＣ５インタフェースによってＶ２Ｘサービスを伝送でき、それによりＶ２Ｘサービスの持続性を確保し、関連技術ではＶ２Ｘメッセージ伝送を行うＵＥにおいてハンドオーバーや異常が発生する場合にＶ２Ｘサービスの持続性を如何に確保するかという問題を解決し、それにより低遅延高信頼性のＶ２Ｘ情報伝送を実現する。
【００４２】
なお、本実施例に係る装置ツー装置通信はＶ２Ｘ通信リソースを含み、つまり、本実施例に係る装置ツー装置通信リソースはＶ２Ｘ通信、及び／又はＶ２Ｘ通信以外の装置ツー装置Ｄ２Ｄ通信に用いられ、すなわち、装置ツー装置通信リソースはＶ２Ｘ通信リソース、及び／又はＶ２Ｘ通信以外の装置ツー装置Ｄ２Ｄ通信リソースを含む。
【００４３】
本実施例の選択可能な実施形態では、本実施例に係るＶ２Ｘ通信用の装置ツー装置通信リソースは、装置ツー装置通信送信リソース、装置ツー装置通信送信リソースプール、装置ツー装置通信受信リソースプール、装置ツー装置通信異常送信リソースプール、装置ツー装置通信異常受信リソースプールのうちの少なくとも１つを含む。ここで、装置ツー装置通信送信リソースは基地局のスケジューリングしたリソースであり、装置ツー装置通信送信リソースプールは自ら選択したリソースである。
【００４４】
本実施例の一つの選択可能な実施形態では、上記装置ツー装置通信リソースに基づき、本実施例ではステップＳ２０２に係る第１基地局が第２基地局の装置ツー装置通信リソースを取得する方式は、以下の少なくとも１つを含む。
【００４５】
方式１において、第１基地局がＸ２インタフェースハンドオーバー要求確認メッセージによって第２基地局の装置ツー装置通信リソースを取得する。
【００４６】
方式２において、第１基地局がＸ２インタフェース確立要求又はＸ２インタフェース確立応答メッセージによって第２基地局の装置ツー装置通信リソースを取得する。
【００４７】
方式３において、第１基地局がＸ２インタフェースの基地局構成更新メッセージによって第２基地局の装置ツー装置通信リソースを取得する。
【００４８】
方式４において、第１基地局がＳ１インタフェースのＭＭＥ構成更新メッセージ又はＳ１確立要求メッセージ又はＳ１ハンドオーバーコマンドメッセージによって第２基地局の装置ツー装置通信リソースを取得する。
【００４９】
本実施例では第１基地局が第２基地局の装置ツー装置通信リソースを如何に取得するかを上記方式１〜方式４によって詳細に説明することにより、具体的な応用シナリオでは該装置ツー装置通信リソースを送信して、ユーザー装置が第２基地局／隣接セルのＰＣ５リソースを取得できる。
【００５０】
本実施例の別の選択可能な実施形態では、本実施例のステップＳ２０４に係る第１基地局が取得した装置ツー装置通信リソースをユーザー装置に送信することは、第１基地局がＲＲＣ接続再設定メッセージによって、取得した装置ツー装置通信リソースをユーザー装置に送信するステップ、又は、第１基地局がシステムブロードキャストメッセージによって、取得した装置ツー装置通信リソースをユーザー装置に送信するステップを含む。
【００５１】
ここで、第１基地局がＲＲＣ接続再設定メッセージによってＵＥにターゲット基地局の装置ツー装置通信リソースを送信する方式について、本実施例の具体的な実施形態では、第１基地局がターゲット基地局の装置ツー装置通信リソースをハンドオーバーコマンドに含ませて、ＲＲＣ接続再設定メッセージによってユーザー装置に送信する。
【００５２】
なお、本実施例に係るシステムブロードキャストメッセージは、ＳＩＢ１８、新たに定義されたＳＩＢのうちの少なくとも１つを含む。
【００５３】
また、本実施例のステップＳ２０４では第１基地局が取得した装置ツー装置通信リソースをユーザー装置に送信する前に、本実施例の方法は、第１基地局がユーザー装置の送信したＰＣ５Ｖ２Ｘ伝送傾向の指示情報又はＰＣ５パス切り替えの指示情報を受信するステップをさらに含む。
【００５４】
なお、本実施例に係るユーザー装置は、車両ユーザー装置ＵＥ、通行人ユーザー装置ＵＥ、ユーザー装置ＵＥ型路側機、装置ツー装置通信能力を有するユーザー装置のうちの少なくとも１つを含む。本実施例に係る第１基地局と第２基地局は、従来の基地局、基地局型路側機のうちの少なくとも１つを含む。
【００５５】
図３は本発明の実施例に係るリソース構成方法のフローチャート２であり、図３に示すように、該方法は、Ｓ３０２、Ｓ３０４を含む。
【００５６】
Ｓ３０２において、ユーザー装置は、第１基地局の送信した、第１基地局自体の装置ツー装置通信リソース、第２基地局の装置ツー装置通信リソースのうちの少なくとも１つを含む装置ツー装置通信リソースを受信する。
【００５７】
Ｓ３０４において、ユーザー装置は、受信した装置ツー装置通信リソースに基づき、装置ツー装置通信情報の送信、装置ツー装置通信情報の受信のうちの少なくとも１つを実行する。
【００５８】
上記実施例のステップＳ３０２〜ステップＳ３０４によって、ユーザー装置ＵＥが第２基地局／隣接セルのＰＣ５リソースを取得する。
【００５９】
なお、本実施例に係る装置ツー装置通信リソースは、装置ツー装置通信送信リソース又は装置ツー装置通信送信リソースプール、装置ツー装置通信受信リソース又は装置ツー装置通信受信リソースプール、装置ツー装置通信異常送信リソースプール、装置ツー装置通信異常受信リソースプールのうちの少なくとも１つを含む。
【００６０】
ユーザー装置が受信した装置ツー装置通信リソースに基づき、装置ツー装置通信情報の送信、装置ツー装置通信情報の受信のうちの少なくとも１つを実行する本実施例のステップＳ３０４における方式について、本実施例では、ユーザー装置は、ユーザー装置が無線リンクに失敗し、Ｔ３１０が動作する場合、Ｔ３０４が動作する場合、ユーザー装置がハンドオーバーに失敗し又はＴ３０４がタイムアウトする場合、ユーザー装置がセル再選択を行い又はＴ３１１が動作する場合、ユーザー装置がＲＲＣ接続再確立を行い又はＴ３０１が動作する場合、Ｔ３００が動作する場合、ユーザー装置がＲＲＣ接続確立を行い又はＴ３００のタイムアウトによって接続確立が失敗する場合のうちのいずれかの条件下で第１基地局及び／又は第２基地局の装置ツー装置通信異常送信又は受信リソースプールを使用する。
【００６１】
また、本実施例のステップＳ３０４ではユーザー装置が装置ツー装置通信リソースを受信する前に、本実施例の方法は、ユーザー装置が第１基地局にＰＣ５パス切り替えの指示情報又はＰＣ５Ｖ２Ｘ伝送傾向の指示情報を送信するステップをさらに含む。
【００６２】
ユーザー装置はサイドリンクユーザー情報ｓｉｄｅｌｉｎｋＵＥＩｎｆｏｒｍａｔｉｏｎによって第１基地局にＰＣ５パス切り替えの指示情報又はＰＣ５Ｖ２Ｘ伝送傾向の指示情報を送信する。
【００６３】
以上の実施形態についての説明から、当業者は上記実施例に係る方法をソフトウェアと必要な汎用ハードウェアプラットフォームの組合せによって実現できると理解でき、勿論、ハードウェアによって実現してもよいが、多くの場合、前者のほうは好ましい。このような理解に基づき、本発明の技術案は本質的に又は従来技術に貢献する部分はソフトウェア製品の形態で具体化でき、該コンピュータソフトウェア製品は１つの記憶媒体（例えばＲＯＭ／ＲＡＭ、磁気ディスク、光ディスク）に記憶され、端末装置（携帯電話、コンピュータ、サーバ、又はネットワーク装置等であってもよい）に本発明の各実施例の方法を実行させるための複数の命令を含む。
【００６４】
本実施例では、リソース構成装置をさらに提供し、該装置は上記実施例及び好適実施形態を実現することに用いられ、重複説明を省略する。以下では用いられる用語「モジュール」は所定機能のソフトウェア及び／又はハードウェアの組合せを実現できる。以下の実施例に説明される装置は好ましくはソフトウェアによって実現されるが、ハードウェア、又はソフトウェアとハードウェアの組合せによる実現も想到し得る。
【００６５】
図４は本発明の実施例に係るリソース構成装置の構成ブロック図１であり、該装置は第１基地局側に適用され、図４に示すように、該装置は取得モジュール４２、及び送信モジュール４４を備え、取得モジュール４２は、第２基地局の装置ツー装置通信リソース、及び第１基地局自体の装置ツー装置通信リソースのうちの少なくとも１つの装置ツー装置通信リソースを取得するように構成され、第２基地局はターゲット基地局、第１基地局の隣接基地局を含み、送信モジュール４４は、取得モジュール４２に結合され、取得した装置ツー装置通信リソースをユーザー装置に送信するように構成される。
【００６６】
任意選択で、該取得モジュール４２は、Ｘ２インタフェースハンドオーバー要求確認メッセージ又はＸ２インタフェース確立要求又はＸ２インタフェース確立応答メッセージ又はＸ２インタフェースの基地局構成更新メッセージによってターゲット基地局又は隣接基地局の装置ツー装置通信リソースを取得するように構成される第１取得ユニット、又は、Ｓ１インタフェースのＭＭＥ構成更新メッセージ又はＳ１確立要求メッセージ又はＳ１ハンドオーバーコマンドメッセージによって第２基地局の装置ツー装置通信リソースを取得するように構成される第２取得ユニットを備える。
【００６７】
任意選択で、該送信モジュール４４は、ＲＲＣ接続再設定メッセージによって、取得した装置ツー装置通信リソースをユーザー装置に送信するように構成される第１送信ユニット、又は、システムブロードキャストメッセージによって、取得した装置ツー装置通信リソースをユーザー装置に送信するように構成される第２送信ユニットを備える。該システムブロードキャストメッセージはＳＩＢ１８、新たに定義されたＳＩＢのうちの１つであってもよい。また、具体的な応用シナリオでは、該第１送信ユニットはさらに、ターゲット基地局の装置ツー装置通信リソースをハンドオーバーコマンド中に設定してＲＲＣ接続再設定メッセージによってユーザー装置に送信するように構成される。
【００６８】
任意選択で、本実施例は、第１基地局が取得した装置ツー装置通信リソースをユーザー装置に送信する前に、ユーザー装置の送信したＰＣ５Ｖ２Ｘ伝送傾向の指示情報又はＰＣ５パス切り替えの指示情報を受信するように構成される受信モジュールをさらに備える。
【００６９】
図５は本発明の実施例に係るリソース構成装置の構成ブロック図２であり、該装置はユーザー装置側に適用され、図５に示すように、該装置は受信モジュール５２、及び構成モジュール５４を備え、受信モジュール５２は、第１基地局の送信した装置ツー装置通信リソースを受信するように構成され、装置ツー装置通信リソースは、第１基地局自体の装置ツー装置通信リソース、第２基地局の装置ツー装置通信リソースのうちの少なくとも１つを含み、第２基地局はターゲット基地局、第１基地局の隣接基地局を含み、構成モジュール５４は、受信モジュール５２に結合され、受信した装置ツー装置通信リソースに基づき、装置ツー装置通信情報の送信、装置ツー装置通信情報の受信のうちの少なくとも１つを実行するように構成される。
【００７０】
任意選択で、受信モジュール５２は、ユーザー装置が無線リンクに失敗し、Ｔ３１０が動作する場合、Ｔ３０４が動作する場合、ユーザー装置がハンドオーバーに失敗し又はＴ３０４がタイムアウトする場合、ユーザー装置がセル再選択を行い又はＴ３１１が動作する場合、ユーザー装置がＲＲＣ接続再確立を行い又はＴ３０１が動作する場合、Ｔ３００が動作する場合、ユーザー装置がＲＲＣ接続確立を行い又はＴ３００のタイムアウトによって接続確立が失敗する場合のうちのいずれかの条件下で第１基地局及び／又は第２基地局の装置ツー装置通信異常送信又は受信リソースプールを使用する。
【００７１】
任意選択で、本実施例は、ユーザー装置が第１基地局の取得した自体の及び／又は第２基地局の装置ツー装置通信リソースを受信する前に、第１基地局にＰＣ５パス切り替えの指示情報又はＰＣ５Ｖ２Ｘ伝送傾向の指示情報を送信するように構成される第２送信モジュールをさらに備える。例えばサイドリンクユーザー情報ｓｉｄｅｌｉｎｋＵＥＩｎｆｏｒｍａｔｉｏｎによって第１基地局にＰＣ５パス切り替えの指示情報又はＰＣ５Ｖ２Ｘ伝送傾向の指示情報を送信する。
【００７２】
なお、上記各モジュールはソフトウェア又はハードウェアによって実現でき、後者の場合、上記モジュールは同一プロセッサに位置してもよく、それぞれ複数のプロセッサに位置してもよいが、それらに限定されない。
【００７３】
以下、本発明の選択可能な実施例を参照して本発明を例示的に説明し、ここでＶ２Ｘ通信を例に説明し、装置ツー装置通信リソースはＶ２ＸＰＣ５通信用のＰＣ５通信リソースである。
【００７４】
選択可能な実施例１
図６は本発明の選択可能な実施例に係るハンドオーバー中においてＶ２Ｘ通信リソース構成を伝送する方法のフローチャートであり、該方法はＵＥ１がＵｕインタフェースによってＶ２Ｘ伝送を行う実施例であり、図６に示すように、該方法は、ステップＳ６０２〜６１４を含む。
【００７５】
ステップＳ６０２において、ソース基地局ｅＮＢ１は装置ユニットの報告した測定レポート及び無線リソース管理情報に基づき、Ｘ２インタフェースに基づくハンドオーバーを行うと決定する。
【００７６】
ステップＳ６０４において、ソース基地局はターゲット基地局を選択し、ターゲット基地局にハンドオーバー要求メッセージを送信する。
【００７７】
ハンドオーバー要求はＶ２Ｘ伝送傾向の指示情報を含んでもよい。
【００７８】
ステップＳ６０６において、ターゲット基地局はソース基地局にハンドオーバー要求確認メッセージを送信し、装置ユニットのハンドオーバーをトリガーするハンドオーバーコマンドはＰＣ５通信リソースを含む。
【００７９】
ＰＣ５通信リソースは、Ｖ２Ｘ通信送信リソース／リソースプール、Ｖ２Ｘ通信受信リソースプール、Ｖ２Ｘ通信異常送信リソースプール、Ｖ２Ｘ通信異常受信リソースプールのうちのいずれか１つ又はそれらの組合せを含む。また、本選択可能な実施例では、該ＰＣ５通信リソースはＶ２Ｘ通信送信／受信リソース（スケジューリングリソース）、Ｖ２Ｘ通信異常送信／受信リソースプールを含む。
【００８０】
ステップＳ６０８において、基地局はＲＲＣ接続再設定メッセージによってハンドオーバーコマンド（ＰＣ５通信リソースを含む）をそのままユーザー装置に伝送する。
【００８１】
ステップＳ６１０において、ＵＥ１はターゲットセルとダウンリンク同期を完了した後、ターゲットセルＶ２Ｘ通信リソースを使用してＵｕインタフェースによるＶ２Ｘ伝送をＰＣ５インタフェースによる伝送に切り替える。
【００８２】
ステップＳ６１２において、ＵＥ１にハンドオーバーが発生するか否かを判定する。
【００８３】
ステップＳ６１４において、ＵＥ１がハンドオーバーに失敗する場合、ＵＥ１はターゲットセルのＶ２Ｘ通信異常送信／受信リソースプールを使用してＰＣ５インタフェースでＶ２Ｘ伝送を実行し続ける。これによって、ＵＥ１がセルを再選択して新たなセルに再確立するまで、サービス持続性を確保し、Ｖ２Ｘサービスの中断を回避する。
【００８４】
ハンドオーバーコマンドに含まれるＶ２Ｘリソース構成情報がＶ２Ｘ通信送信／受信リソースプール（自ら選択したリソース）である場合、ハンドオーバーコマンドにもＶ２Ｘ通信異常送信／受信リソースプールが含まれ、ＵＥがハンドオーバーに失敗しても、ＵＥはＶ２Ｘ通信異常送信／受信リソースプールに切り替えずに、Ｖ２Ｘ通信送信／受信リソースプール（自ら選択したリソース）を使用してＰＣ５でＶ２Ｘ伝送を実行し続けることができる。
【００８５】
選択可能な実施例２
図７は本発明の選択可能な実施例に係る基地局がＸ２インタフェースによって隣接基地局のＶ２Ｘ通信リソースを取得しシステムブロードキャストメッセージによってＵＥに送信する方法のフローチャートであり、図７に示すように、該方法は、ステップＳ７０２〜７０６を含む。
【００８６】
ステップＳ７０２において、ｅＮＢ１はＸ２インタフェースシグナリングによってｅＮＢ２と対話し、ｅＮＢ２のＶ２Ｘ通信リソース構成を取得する。
【００８７】
たとえば、ｅＮＢ１はＸ２インタフェース確立要求又はＸ２確立応答メッセージによってｅＮＢ２のＶ２Ｘ通信リソース構成を取得し、又はｅＮＢ１はＸ２インタフェースの基地局構成更新メッセージによってｅＮＢ２のＰＣ５通信リソースを取得することが可能である。
【００８８】
ステップＳ７０４において、基地局ｅＮＢ１はシステムブロードキャストメッセージによって隣接セルｅＮＢ２のＶ２Ｘ通信リソース構成情報をＵＥ１に送信する。
【００８９】
システムブロードキャストメッセージはＰｒｏＳｅ通信用のＳＩＢ１８、又はＶ２Ｘ通信に定義された新たなＳＩＢである。
【００９０】
ステップＳ７０６において、ＵＥ１は隣接セルのＶ２Ｘ通信リソース構成情報を受信し、隣接セルのＶ２Ｘ通信送信／受信リソースプールを使用してＰＣ５インタフェースでＶ２Ｘ伝送を行う。
【００９１】
選択可能な実施例３
図８は本発明の選択可能な実施例に係る基地局がシステムブロードキャストメッセージでＶ２Ｘ通信異常送信／受信リソースプールを送信する方法のフローチャートであり、図８に示すように、該方法はステップＳ８０２〜Ｓ８０６を含む。
【００９２】
ステップＳ８０２において、基地局はシステムブロードキャストメッセージでサービスセルのＶ２Ｘ通信異常送信／受信リソースプールをＵＥ１に送信する。
【００９３】
ステップＳ８０４において、ＵＥ１はＲＲＣ接続確立を開始する場合、接続モードに入ってＶ２Ｘ通信を行おうとする。
【００９４】
ステップＳ８０６において、Ｔ３００が動作し及び／又はＴ３００のタイムアウトによって接続確立に失敗になる場合、ＵＥはシステムブロードキャストメッセージ中のＶ２Ｘ通信異常送信／受信リソースプールを使用してＰＣ５インタフェースでＶ２Ｘ通信を行うことが可能である。
【００９５】
選択可能な実施例４
図９は本発明の選択可能な実施例に係る専有シグナリングによって基地局にＶ２Ｘ通信異常送信／受信リソースプールを送信する方法のフローチャートであり、該方法はＵＥ１がＵｕインタフェースによってＶ２Ｘ伝送を行う方法であり、図９に示すように、該方法はステップＳ９０２〜９０８を含む。
【００９６】
ステップＳ９０２において、ＵＥ１はＰＣ５Ｖ２Ｘ伝送傾向指示又はＰＣ５パス切り替え指示情報を基地局に送信する。
【００９７】
ＰＣ５Ｖ２Ｘ伝送傾向指示又はＰＣ５パス切り替え指示は、ＵＥ１がＵｕインタフェースによってＶ２Ｘメッセージを伝送し、且つＰＣ５インタフェースに切り替えてＶ２Ｘ伝送を行う傾向があることを基地局に指示することに用いられる。ＵＥ１はサイドリンクユーザー情報ｓｉｄｅｌｉｎｋＵＥＩｎｆｏｒｍａｔｉｏｎによって基地局にＰＣ５パス切り替え指示又はＰＣ５Ｖ２Ｘ伝送傾向指示情報を送信する。
【００９８】
ステップＳ９０４において、基地局はＲＲＣ接続再設定メッセージによってＶ２Ｘ通信送信／受信リソース（プール）、Ｖ２Ｘ通信異常送信／受信リソースプールをＵＥ１に送信する。
【００９９】
ステップＳ９０６において、ＵＥにＲＬＦ／セル再選択／ＲＲＣ接続再確立が発生する場合、
ステップＳ９０８において、ＵＥはＵｕインタフェースによるＶ２Ｘ伝送をＰＣ５インタフェースに切り替え、Ｖ２Ｘ異常送信／受信リソースプールを使用し、Ｔ３１０が動作する場合、又はＵＥ１がセル選択／再選択を行い、Ｔ３１１が動作する場合、又はＵＥ１がＲＲＣ接続再確立を行い、Ｔ３０１が動作する場合、Ｖ２Ｘサービスの中断を回避するために、ＵＥ１はＵｕインタフェースでのＶ２Ｘ伝送をＰＣ５インタフェースに切り替え、ＲＲＣ接続再設定メッセージから受信したＶ２Ｘ通信異常送信／受信リソースプールを使用してＰＣ５インタフェースでＶ２Ｘ通信を行う。
【０１００】
本発明の実施例は記憶媒体をさらに提供する。好ましくは、本実施例では、上記記憶媒体はステップＳ１１〜ステップＳ１２を実行するためのプログラムコードを記憶する。
【０１０１】
ステップＳ１１において、第１基地局は、第２基地局のＰＣ５通信リソース、それ自体のＰＣ５通信リソースのうちの少なくとも１つのＰＣ５通信リソースを取得し、第２基地局はターゲット基地局、第１基地局の隣接基地局を含む。
【０１０２】
ステップＳ１２において、第１基地局は取得したＰＣ５通信リソースをユーザー装置に送信する。
【０１０３】
本発明の実施例は記憶媒体をさらに提供する。任意選択で、本実施例では、上記記憶媒体はステップＳ２１〜ステップＳ２２を実行するためのプログラムコードを記憶する。
【０１０４】
ステップＳ２１において、ユーザー装置は第１基地局の送信したＰＣ５通信リソースを受信し、ＰＣ５通信リソースは、第１基地局自体のＰＣ５通信リソース、第２基地局のＰＣ５通信リソースのうちの少なくとも１つを含み、第２基地局はターゲット基地局、第１基地局の隣接基地局を含む。
【０１０５】
ステップＳ２２において、ユーザー装置は受信したＰＣ５通信リソースに基づき、ＰＣ５インタフェースによって情報の送信、受信のうちの少なくとも１つを行う。
【０１０６】
好ましくは、本実施例の具体例は上記実施例及び選択可能な実施形態に説明される例を参照すればよく、本実施例では重複説明を省略する。
【０１０７】
明らかなように、当業者であれば、上記本発明の各モジュール又は各ステップは汎用コンピューティング装置によって実現でき、１つのコンピューティング装置に集積されてもよく、複数のコンピューティング装置から構成されるネットワークに分散してもよく、好ましくは、それらはコンピューティング装置に実行可能なプログラムコードによって実現され、それにより、記憶装置に記憶されてコンピューティング装置によって実行され、且つ特定の場合、ここでの順序と異なる順序で、示される又は説明されるステップを実行してもよく、又はそれらは個別に集積回路モジュールとして作製され、又はそれらのうちの複数のモジュール又はステップは１つの集積回路モジュールとして作製されることで実現されると理解できる。従って、本発明は特定のハードウェアとソフトウェアの組合せに限定されない。
【０１０８】
以上、本発明の選択可能な実施例を説明したが、本発明を限定するものではない。当業者は、本発明に対して種々の変更や変形を行うことができる。本発明の精神及び原則を逸脱せずに想到し得る変更、同等置換、改良等はすべて本発明の保護範囲に属する。
【産業上の利用可能性】
【０１０９】
本発明の実施例のリソース構成過程では、第１基地局が第２基地局の装置ツー装置通信リソースを取得し、及び／又は、それ自体の装置ツー装置通信リソースを取得し、更に該装置ツー装置通信リソースをユーザー装置に送信することで、ユーザー装置にハンドオーバーや異常が発生しても、Ｖ２Ｘサービスを伝送でき、それによりＶ２Ｘサービスの持続性を確保し、Ｖ２Ｘメッセージ伝送を行うＵＥにおいてハンドオーバーや異常が発生する場合にＶ２Ｘサービスの持続性を如何に確保するかという問題を解決し、それにより低遅延高信頼性のＶ２Ｘ情報伝送を実現する。
【図１】
2019510436.tif 000003
【図２】
2019510436.tif 000004
【図３】
2019510436.tif 000005
【図４】
2019510436.tif 000006
【図５】
2019510436.tif 000007
【図６】
2019510436.tif 000008
【図７】
2019510436.tif 000009
【図８】
2019510436.tif 000010
【図９】
2019510436.tif 000011
【国際調査報告】
2019510436.tif 000012
2019510436.tif 000013
2019510436.tif 000014
2019510436.tif 000015
2019510436.tif 000016